(57)【要約】  本発明は、ホログラフィ投影器を含む電子デバイスに関する。コンシューマ電子デバイス用のホログラフィ投影モジュールは、少なくとも１つの実質的に単色の光源（１２）と、前記光源からの光（２２）を位相変調して、２次元表示画像（１４）を生成するための位相ホログラムを提供する空間光変調器（２４）（ＳＬＭ）と、前記位相変調光を投影して、前記２次元表示画像を形成する投影光学系とを備え、前記投影光学系は、一般的な非ホログラフィ画像を縮小して、前記表示画像を形成する前記光の発散を増加させるよう構成された光学系（２６）を備え、前記ホログラフィ投影モジュールは更に、表示用の所望の画像から、前記ＳＬＭを変調するための複数の時間ホログラフィ・サブフレーム用のデータを生成し、その結果、前記複数のサブフレームに対応する複数の画像が、観測者の目において統合されるよう連続的且つ十分に高速に表示されるときに、前記複数のサブフレームにおける時間平均化により、前記表示画像において知覚されるノイズのレベルが低減される、ようなデジタル信号プロセッサ（１００）を備える。
2008544307.tif 000002
【特許請求の範囲】
【請求項１】
コンシューマ電子デバイス用のホログラフィ投影モジュールであって、
前記ホログラフィ投影モジュールは、
少なくとも１つの実質的に単色の光源と、
前記光源からの光を位相変調して、２次元表示画像を生成するための位相ホログラムを提供する空間光変調器（ＳＬＭ）と、
前記位相変調光を投影して、前記２次元表示画像を形成する投影光学系とを備え、
前記投影光学系は、一般的な非ホログラフィ画像を縮小して、前記表示画像を形成する前記光の発散を増加させるよう構成された光学系を備え、
前記ホログラフィ投影モジュールは更に、
表示用の所望の画像から、前記ＳＬＭを変調するための複数の時間ホログラフィ・サブフレーム用のデータを生成し、その結果、前記複数のサブフレームに対応する複数の画像が、観測者の目において統合されるよう連続的且つ十分に高速に表示されるときに、前記複数のサブフレームにおける時間平均化により、前記表示画像において知覚されるノイズのレベルが低減される、ようなデジタル信号プロセッサを備えるホログラフィ投影モジュール。
【請求項２】
前記複数の時間サブフレームの各々は、前記表示用の所望の画像の空間範囲を実質的に有するような画像を生成する請求項１に記載のホログラフィ投影モジュール。
【請求項３】
前記空間光変調器用の前記光をコリメートするコリメータを更に備える請求項１又は２に記載のホログラフィ投影モジュール。
【請求項４】
前記光学系は、第１の焦点長を有する第１のレンズと、第２のより短い焦点長を有する第２のレンズとを備え、前記第１のレンズは、前記第２のレンズよりも、前記ＳＬＭから前記表示画像へと向かう光学経路に沿って、前記ＳＬＭに近い請求項１、２又は３に記載のホログラフィ投影モジュール。
【請求項５】
前記第１及び第２のレンズは、前記光学経路に沿って、前記第１及び第２の焦点長の和にほぼ等しい距離だけ離れている請求項４に記載のホログラフィ投影モジュール。
【請求項６】
前記第１及び第２のレンズは、正レンズを備える請求項４又は５に記載のホログラフィ投影モジュール。
【請求項７】
前記光学系は、前記表示画像の複数の空間領域を減衰させるフィルタを含んでいる請求項１から６のいずれか１項に記載のホログラフィ投影モジュール。
【請求項８】
前記複数の領域は、前記表示画像の非回折スポット及び反復部分の１つ以上を含む請求項７に記載のホログラフィ投影モジュール。
【請求項９】
前記フィルタは、前記光学系のアパーチャを備える請求項７又は８に記載のホログラフィ投影モジュール。
【請求項１０】
前記ＳＬＭは、反射性ＳＬＭを備える請求項１から９のいずれか１項に記載のホログラフィ投影モジュール。
【請求項１１】
前記デジタル信号プロセッサは、前記表示用の所望の画像用のデジタルデータを入力し、前記画像データから、前記ＳＬＭを駆動して前記位相ホログラムを提供させるためのホログラフィ・サブフレーム・データを計算するよう構成されており、前記デジタル信号プロセッサは、位相変調段階、空間−周波数変換段階、及び量子化段階を有する一組の処理を実施するよう構成されている請求項１から１０のいずれか１項に記載のホログラフィ投影モジュール。
【請求項１２】
前記デジタル信号プロセッサは、格納されているプロセッサ制御コードの制御下にあるプロセッサを備える請求項１１に記載のホログラフィ投影モジュール。
【請求項１３】
前記デジタル信号プロセッサは、ハードウェア・アクセラレータを備える請求項１１に記載のホログラフィ投影モジュール。
【請求項１４】
前記ハードウェア・アクセラレータは、前記位相変調段階、前記空間−周波数変換段階、及び前記量子化段階の１つ以上を実施するハードウェアを備える請求項１３に記載のホログラフィ投影モジュール。
【請求項１５】
ホログラフィ投影モジュールであって、
少なくとも１つの実質的に単色の光源と、
前記光源からの光を位相変調して、表示画像を生成するための位相ホログラムを提供する空間光変調器（ＳＬＭ）と、
前記表示画像用のデジタルデータを入力するよう、且つ、前記ＳＬＭを駆動して、前記表示画像を生成するための前記位相ホログラムを提供させる、ためのホログラムデータを計算するよう構成されたデジタル信号プロセッサとを備え、
前記デジタル信号プロセッサは、表示対象となる画像全体のホログラムを各々の時間サブフレームが近似するような複数の時間サブフレーム用のホログラフィデータを生成し、それにより、前記ＳＬＭを駆動して、観測者に対し前記複数の時間サブフレームが前記表示画像の印象を与えるような複数の位相ホログラム・サブフレームを生成させる、よう構成されており、前記表示画像のノイズ変動は、前記複数の位相ホログラム・サブフレームにわたる平均化によって減衰されて知覚されるホログラフィ投影モジュール。
【請求項１６】
ホログラフィ投影モジュールであって、
少なくとも１つの実質的に単色の光源と、
前記光源からの光を位相変調して、２次元表示画像を生成するための位相ホログラムを提供する空間光変調器（ＳＬＭ）と、
前記位相変調光を投影して、前記２次元表示画像を形成する投影光学系とを備え、
前記ＳＬＭは、反射性ＳＬＭを備えるホログラフィ投影モジュール。
【請求項１７】
前記光源から前記ＳＬＭまでの光学経路は、前記投影光学系の少なくとも一部を含んでいる請求項１６に記載のホログラフィ投影モジュール。
【請求項１８】
前記光学経路は、前記ＳＬＭへ向かう入射光と前記ＳＬＭからの反射光との間の干渉を抑制する偏光子を含んでいる請求項１７に記載のホログラフィ投影モジュール。
【請求項１９】
前記偏光子は、偏光ビームスプリッタを備える請求項１８に記載のホログラフィ投影モジュール。
【請求項２０】
前記投影光学系は、一般的な非ホログラフィ画像を縮小して、前記表示画像を形成する前記光の発散を増加させるよう構成された光学系を備える請求項１６から１９のいずれか１項に記載のホログラフィ投影モジュール。
【請求項２１】
請求項１から２０のいずれか１項に記載のホログラフィ投影モジュールを備えるコンシューマ電子デバイス。
【請求項２２】
請求項１から２０のいずれか１項に記載のホログラフィ投影モジュールを備える広告システム又はサイネージシステム。
【請求項２３】
請求項１から２０のいずれか１項に記載のホログラフィ投影モジュールを備えるヘルメット搭載式ディスプレイ又はヘッドアップディスプレイ。
【発明の詳細な説明】
【技術分野】
【０００１】
本発明は、ホログラフィ画像投影システム、及びホログラフィ投影器を含む電子デバイスに関する。
【背景技術】
【０００２】
小型で携帯可能なコンシューマ電子デバイスの多くは、グラフィカル画像ディスプレイを備えており、一般にはＬＣＤ（液晶ディスプレイ）スクリーンを備えている。これらの電子デバイスには、デジタルカメラ、モバイルフォン、パーソナル・デジタル・アシスタント／オーガナイザ、ｉＰＯＤ（商標）等の携帯音楽デバイス、携帯映像デバイス、ラップトップ・コンピュータ等が含まれる。多くの場合、大型画像及び／又は投影画像を提供できれば有利であるが、これは今まで主に、こうしたディスプレイに必要とされる光学系のサイズが原因で不可能だった。
【０００３】
背景先行技術は、ＧＢ２３７９３５１Ａ、ＧＢ２３５０９６３Ａ、ＷＯ００／４００１８、ＷＯ２００４／０６６０３７、ＵＳ５５８９９５５、及びＵＳ５７９８８６４に見ることができる。ＧＢ’３５１には、３次元画像を生成するシステムが記載されている。該システムでは、表示対象となるデータの量が、水平視差のみ（horizontal parallax only：ＨＰＯ）のホログラムを用いることで低減される。ＧＢ’９６３には、バトル／シャッタ機構が採用されたシステムが記載されている。該機構は、光学アドレス式ＳＬＭ（空間光変調器）を必要とせずに３次元画像を生成するために、空間的に傾斜したサブホログラム画像が採用できるよう、ＳＬＭ投影面の傾斜領域に位置合わせされている。ＷＯ’０１８は逆に、光学アドレス式ＳＬＭを採用している。３次元ホログラフィ画像を表示するシステムを使用する可能性について言及されているものの、記載されている大部分の実施例では、一般的な画像が、ＯＡＳＬＭを駆動する電気アドレス式ＳＬＭ上に形成されている。ＷＯ’０３７は、コンピュータ生成ホログラム（computer generated hologram：ＣＧＨ）画像をＳＬＭ上に表示して、スクリーンに２次元画像を形成する。該２次元画像は、彼らが「ホゲル(hogel)」と呼ぶ、事前に計算されたＣＧＨ要素を用いて形成される。該ホゲルはそれぞれ、投影スクリーン上に単一ピクセルを生成する回折パターンである。しかし、ＳＬＭにより回折された光をスクリーンに誘導する光学系は、扱いが困難である。ＵＳ’９５５には、レーザ・パターン・スクライブ・デバイスが記載されており、ＵＳ’８６４には、投影型の画像表示装置が記載されている。時間のかかる計算処理を回避するため、該画像表示装置では、ディスプレイ要素上に表示するホログラムは、ディスプレイ要素の位置に位相共役ミラーが位置していると仮定し、画像が再生されるスクリーン上の全ての点から発せられる球面光波をこの位置で加算する、ことにより計算され、この計算の結果の複素共役が得られる。
【発明の開示】
【課題を解決するための手段】
【０００４】
従って、本発明の第１の態様によれば、コンシューマ電子デバイス用のホログラフィ投影モジュールが提供され、前記ホログラフィ投影モジュールは、少なくとも１つの実質的に単色の光源と、前記光源からの光を位相変調して、２次元表示画像を生成するための位相ホログラムを提供する空間光変調器（ＳＬＭ）と、前記位相変調光を投影して、前記２次元表示画像を形成する投影光学系（projection optics）とを備え、前記投影光学系は、一般的（conventional）な非ホログラフィ画像を縮小して、前記表示画像を形成する前記光の発散を増加させるよう構成された光学系（optical system）を備え、前記ホログラフィ投影モジュールは更に、表示用の所望の画像から、前記ＳＬＭを変調するための複数の時間ホログラフィ・サブフレーム用のデータを生成し、その結果、前記複数のサブフレームに対応する複数の画像が、観測者（human observer）の目において統合されるよう連続的且つ十分に高速に表示されるときに、前記複数のサブフレームにおける時間平均化により、前記表示画像において知覚されるノイズのレベルが低減される、ようなデジタル信号プロセッサを備える。
【０００５】
単色の光源は好ましくは、レーザダイオードや、他の少なくとも部分的にコヒーレントな光源のような、レーザを備えており、ある形態のコリメーションを含んでいてもよい。代わりに、空間光変調器により変調される前に光を概ねコリメートするためのコリメータが含まれていてもよい。
【０００６】
直感に反し、光学系の実施形態は、一般的な非ホログラフィ画像に対して縮小作用を生じる。概ね任意の種類の一般的な縮小光学系が採用可能である（コリメーションがプアな場合には、一般に、これを少なくとも部分的に補償するための光学系を使用してもよい）。結果として、光学系の実施形態において、表示画像は実質的にフォーカスフリーとなる。即ち、画像は、広い範囲にわたって、又は投影モジュールからほぼ全ての距離において、ほぼ焦点が合っていることになる。
【０００７】
この作用は、広範な様々な光学機構を用いて実現することが可能であるが、特に有利な組合せは、それぞれ第１及び第２の焦点長を有する第１及び第２のレンズを備えており、第２の焦点長が第１の焦点長よりも短く、第１のレンズが第２のレンズよりも（光学経路に沿って）空間光変調器に近い。好ましくは、これらのレンズ間の距離は、これらの焦点距離の和にほぼ等しく、事実上（縮小）望遠鏡を形成する。複数の実施形態では、２つの正の（即ち収束型の）単純レンズが採用されるが、他の実施形態では、１つ以上の負の又は発散型のレンズを採用してもよい。
【０００８】
複数の実施形態では、特にＳＬＭ上への入射光がほぼコリメートされる場合には、第１のレンズが、当該レンズの焦点長にほぼ等しい距離だけ、ＳＬＭから離れて配置されていてもよい。しかし、これは必須ではなく、他の実施形態では、特にＳＬＭ上への入射光がコリメートされない場合には、第１のレンズが、当該レンズの焦点長と異なる距離だけ、ＳＬＭから離れて配置されていてもよい。
【０００９】
光学系は更に、表示画像の好ましくない部分、例えば、明るい（０次）非回折スポット又は反復１次画像（表示画像の逆さまバージョンとして見えることがある）をフィルタリング除去するフィルタを備えていてもよい。
【００１０】
一般に、光を位相変調することができる任意のタイプのピクセル処理されたマイクロディスプレイ（pixellated microdisplay）が、必要な場合、オプションで、適切なドライバチップと関連付けられてＳＬＭに採用されてもよい。複数の実施形態は、電気的にアドレス指定可能なＳＬＭを使用する。好適なＳＬＭには、ＬＣＯＳ（liquid crystal on silicon）ＳＬＭやＤＬＰ（登録商標）（digital light processing）ＳＬＭを含む液晶ＳＬＭが含まれるが、それに限定されることはない。
【００１１】
複数の実施形態では、表示画像は、複数のホログラフィサブ画像から形成され、該複数のホログラフィサブ画像は、視覚的に組み合わされて、（観測者に対し）表示用の所望の画像の印象（impression）を与える。これらのホログラフィ時間サブフレームは、人の目の中で統合されるよう、間断なく表示される。複数のホログラフィ時間サブフレームの各々は、表示用の所望の画像の空間範囲（spatial extent）を実質的に有するような画像を生成する。複数の実施形態では、ホログラフィ・サブフレームは、（エッジ効果を防止するため、ＳＬＭのエッジ付近の１０％、５％、又はそれより少ないピクセルを除いて）ＳＬＭをほぼ完全に占有する。
【００１２】
連続的なホログラフィ・サブフレーム用のデータは、デジタル信号プロセッサによって生成されてもよく、該デジタル信号プロセッサは、例えば不揮発性メモリに記憶されたプログラムと関連付けられた、ソフトウェア制御下の汎用ＤＳＰを備えていてもよいし、若しくは専用ハードウェア制御下の汎用ＤＳＰを備えていてもよいし、又は専用ハードウェア・アクセラレーションを有するソフトウェアのような、これら２つの組合せを備えていてもよい。ハードウェア・アクセラレータの好ましい実施形態は、処理の位相変調段階、空間−周波数変換段階、及び量子化段階の１つ以上を実施するモジュールを備える。
【００１３】
よって、本発明の関連する態様によれば、ホログラフィ投影モジュールが提供され、前記ホログラフィ投影モジュールは、少なくとも１つの実質的に単色の光源と、前記光源からの光を位相変調して、表示画像を生成するための位相ホログラムを提供する空間光変調器（ＳＬＭ）と、前記表示画像用のデジタルデータを入力するよう、且つ、前記ＳＬＭを駆動して、前記表示画像を生成するための前記位相ホログラムを提供させる、ためのホログラムデータを計算するよう構成されたデジタル信号プロセッサとを備え、前記デジタル信号プロセッサは、表示対象となる画像全体のホログラムを各々の時間サブフレームが近似するような複数の時間サブフレーム用のホログラフィデータを生成し、それにより、前記ＳＬＭを駆動して、観測者に対し前記複数の時間サブフレームが前記表示画像の印象を与えるような複数の位相ホログラム・サブフレームを生成させる、よう構成されており、前記表示画像のノイズ変動は、前記複数の位相ホログラム・サブフレームにわたる平均化によって減衰されて知覚される。
【００１４】
ホログラフィ投影モジュールでは特に、上述のように、ＳＬＭが、反射性（reflective）ＳＬＭを備えていてもよい。これは特に、コンパクトな光学設計を可能にする。
【００１５】
よって、本発明の更なる関連する態様では、ホログラフィ投影モジュールが提供され、前記ホログラフィ投影モジュールは、少なくとも１つの実質的に単色の光源と、前記光源からの光を位相変調して、２次元表示画像を生成するための位相ホログラムを提供する空間光変調器（ＳＬＭ）と、前記位相変調光を投影して、前記２次元表示画像を形成する投影光学系とを備え、前記ＳＬＭは、反射性ＳＬＭを備える。
【００１６】
このように、一部の好ましい実施形態では、ＳＬＭへの光学経路とＳＬＭからの光学経路の少なくとも一部は、共有されていてもよい。特に、投影光学系の少なくとも一部は、共有されていてもよく、例えば、縮小システムは、光学コリメーションシステムとして、少なくとも部分的に重なっていてもよい。好ましくは、異なる方向に進む光、即ち、ＳＬＭに入る光とＳＬＭから出る光との間の干渉を抑制する偏光子が含まれる。これは、偏光ビームスプリッタを用いて好適に（且つコンパクトに）実施してもよい。偏光ビームスプリッタは特に、出力された変調光を９０度方向の画像面（image plane）上に誘導し、且つ、偏光子の機能を提供するのに使用することができる。
【００１７】
本発明は更に、上述の方針（line）に沿ったホログラフィ投影モジュールを備える、コンシューマ電子デバイス、特に、携帯デバイスを提供する。
【００１８】
本発明はまた更に、上述の方針に沿ったホログラフィ投影モジュールを備える、広告／サイネージシステム（advertising/signage system）や、ヘルメット搭載式ディスプレイ又はヘッドアップディスプレイを提供する。
【００１９】
本発明の上述の態様、及び上述の態様の特徴は、任意の順序で組み合わせてもよい。
【００２０】
以下、本発明のこれらの又はその他の態様について、単に例として、添付の図面を参照しつつ更に説明する。
【発明を実施するための最良の形態】
【００２１】
我々は、ＷＯ２００５／０５９８８１として現在公開されている２００３年１２月１５日に出願された英国特許出願ＧＢ０３２９０１２．９（これによりその全体が参照により組み込まれる）において、複数のビデオフレームを含む、ホログラフィカルに生成されたビデオ画像を表示する方法について、前もって説明している。前記方法では、各フレーム期間について、それぞれのシーケンシャルな複数のホログラムを提供し、再生フィールドを観る（view）ための、前記複数のビデオフレームの複数のホログラムを表示する。それにより、各フレームのノイズ変動が、複数のホログラムにわたる平均化によって減衰されて知覚される。前記ビデオ画像は、動画でも静止画でもよい。
【００２２】
大まかに言えば、前記方法の実施形態は、空間光変調器（ＳＬＭ）によりスクリーン上に光を投影することで画像を表示することを目的とする。前記ＳＬＭは、表示対象となる画像のホログラムを近似するようなホログラフィデータにより変調されるが、このホログラフィデータは特別な方法で選択される。表示画像は、複数の時間サブフレームで形成され、各時間サブフレームは、それぞれのサブフレーム・ホログラムで前記ＳＬＭを変調することにより生成される。これらのサブフレームは、（人の）観測者の目においてこれらのサブフレーム（各サブフレームは表示画像の空間範囲を有する）が統合されるよう、連続的且つ十分に高速に表示されて、表示用の所望の画像を生成する。
【００２３】
各々のサブフレーム・ホログラムは、例えばホログラフィデータを２つ（２値）以上の位相に量子化する結果として、それ自体比較的ノイジーであることがあるが、複数のサブフレームにおける時間平均化により、知覚されるノイズのレベルは低減される。こうしたシステムの実施形態は、各サブフレームが個別に観れば比較的ノイジーに見えるものであっても、視覚的に質の高いディスプレイを提供することができる。
【００２４】
このような方式には、単一ホログラムを用いて表示画像を正確に再生しようとする方式と比べて、計算に関する要件が低減されるという利点があり、当該方式によれば、比較的費用のかからないＳＬＭを使用することも容易になる。
【００２５】
ここで、前記ＳＬＭは一般に、振幅変調ではなく、位相変調を提供することが理解されよう。例えば、２値デバイスは、ゼロとπ（正規化振幅の単位では＋１と−１）の相対的な位相シフトを提供する。しかしながら、好ましい実施形態では、３以上の位相レベル、例えば、４通りの位相変調（ゼロ、π／２、π、３π／２）が採用される。理由は、２値のみの変調では、ホログラムは、一方の画像が他方の画像に対し空間的に反転された一対の画像となり、利用可能な光の半分が失われるのに対し、位相レベルの数が２よりも大きいマルチレベル位相変調では、この第２の画像が除去可能となるからである。更なる詳細は、我々の以前の出願ＧＢ０３２９０１２．９（同書（ibid））に見ることができる。これにより、その全体が参照により組み込まれる。
【００２６】
前記方法の実施形態は、以前のホログラフィ表示方法よりも計算負荷が低いが、それでもなお一般的には、コスト削減、及び／又は電力消費削減、及び／又は性能向上がなされたシステムを提供することが望まれる。特に、限られたフレーム期間内に一連の画像フレームの各々を表示する、というデータ処理要件を一般に有するビデオ用システムの改善をもたらすことが望まれる。
【００２７】
我々はまた、２００５年６月１４日に出願されたＧＢ０５１１９６２．３において、ホログラフィ画像表示システム用のハードウェア・アクセラレータについて説明している。前記画像表示システムは、ホログラフィカルに生成された複数の時間サブフレームを用いて表示画像を生成するよう構成されており、前記複数の時間サブフレームは、ノイズが低減された単一の画像として知覚されるよう時間的にシーケンシャルに表示され、前記複数のサブフレームの各々は、ホログラフィデータを用いて空間光変調器を変調することによりホログラフィカルに生成され、その結果、前記ホログラフィデータにより規定されるホログラムの再生により、前記サブフレームが規定される。前記ハードウェア・アクセラレータは、前記表示画像を規定する画像データを記憶するための入力バッファと、前記サブフレーム用のホログラフィデータを記憶するための出力バッファと、前記入力データバッファ及び前記出力データバッファに結合されており、前記画像データを処理して、前記サブフレーム用の前記ホログラフィデータを生成する、少なくとも１つのハードウェアデータ処理モジュールと、前記少なくとも１つのハードウェアデータ処理モジュールに結合されており、前記少なくとも１つのデータ処理モジュールを制御して、単一の前記表示画像用の画像データに相当する複数の前記サブフレーム用のホログラフィデータを前記出力データバッファに提供するコントローラとを備える。
【００２８】
好ましくはここに、複数の前記サブフレーム用のデータを並列に処理するための複数の前記ハードウェアデータ処理モジュールが含まれる。好ましい実施形態では、前記ハードウェアデータ処理モジュールは位相変調器を備え、前記位相変調器は、前記入力データバッファに結合されており、位相変調データ入力を有し、好ましくは少なくとも部分的にランダム位相データを含むような入力に応じて、前記画像のピクセルの位相を変調する。このデータは、オンザフライ（on the fly）で生成されてもよいし、不揮発性データ記憶から提供されてもよい。前記位相変調器は好ましくは、前記入力データバッファからのピクセルデータに入力位相変調データを乗算する、少なくとも１つの乗算器を備える。簡単な実施形態では、前記乗算器は単に、前記入力データの符号を変化させる。
【００２９】
前記位相変調器の出力は、フーリエ変換モジュール又は逆フーリエ変換モジュールのような空間−周波数変換モジュールに提供される。後述のホログラフィ・サブフレーム生成プロシージャのコンテキストにおいて、これら２つの処理は実質的に同等であり、実質的にはスケールファクタだけが異なる。他の実施形態では、他の空間−周波数変換（一般に周波数は、空間位置データ又はピクセル画像データから導出される空間周波数データを指す）を採用してもよい。一部の好ましい実施形態では、前記空間−周波数変換モジュールは、フィードバックを有する１次元フーリエ変換モジュールを備え、前記１次元フーリエ変換モジュールは、前記位相変調画像データの（空間分布の）２次元フーリエ変換を実行して、ホログラフィ・サブフレーム・データを出力する。これにより、ハードウェアが単純化されると共に、例えば、先ず複数行を処理して次に複数列を処理する（又はその逆）ことが可能になる。
【００３０】
好ましい実施形態では、前記ハードウェアに更に量子化器が含まれ、前記量子化器は、前記変換モジュールの前記出力に結合されており、前記ホログラフィ・サブフレーム・データを量子化して、前記出力バッファ用のサブフレーム用のホログラフィデータを提供する。前記量子化器は、２レベル、４レベル、又はそれを超える（位相）レベルの量子化を行ってもよい。好ましい実施形態では、前記量子化器は、前記ホログラフィ・サブフレーム・データの実数成分及び虚数成分を量子化して、前記出力バッファ用の一対のサブフレームを生成するよう構成されている。このように、前記空間−周波数変換モジュールの前記出力は一般に、複素平面にわたる複数のデータ点を含む。前記出力は、複素平面を２つの半分に分割して、２値量子化データの第１のセットを生成するよう、実数軸上の点（例えばゼロ）で閾値処理（量子化）され、次に、複素平面を更なる２つの領域（０より大きい複素成分、０より小さい複素成分）に分割するよう、虚数軸上の点（例えば０ｊ）で量子化されてもよい。サブフレームの数が大きいほど全体のノイズが小さくなるため、これにより、更なる利益がもたらされる。
【００３１】
好ましくは、前記入力バッファ及び前記出力バッファの一方又は両方が、デュアル・ポート・メモリを備える。一部の特に好ましい実施形態では、前記ホログラフィ画像表示システムは、ビデオ画像表示システムを備え、前記表示画像は、ビデオフレームを含む。
【００３２】
ここで図１を参照するに、図１は、スクリーン上に２次元表示画像１４を投影するハードウェア投影モジュール１２を含むコンシューマ電子デバイス１０の例を表す。表示画像１４は、各サブ画像が表示画像１４と同じ空間範囲を有するような、ホログラフィカルに生成された複数のサブ画像を含み、当該表示画像の印象（appearance）を与えるよう連続して高速に表示される。各ホログラフィ・サブフレームは、以下に記載する方針に沿って生成される。更なる詳細については、ＧＢ０３２９０１２．９（同書（ibid））を参照してもよい。
【００３３】
ある実施形態では、ハードウェア・アクセラレータの種々の段階が、以下に挙げるアルゴリズムを実施する。該アルゴリズムは、各静止フレーム又は各ビデオフレームＩ＝Ｉｘｙ用に、Ｎ個の２相ホログラムｈ（１）…ｈ（Ｎ）の複数の組を生成する方法である。該アルゴリズムの統計解析が示すところによれば、Ｎ個のホログラムのこうした複数の組は、互いに独立な追加ノイズ（additive noise）を呈する複数の再生フィールドを形成する。
【数１】
2008544307.tif 000003
ステップ１は、Ｎ個のターゲットＧｘｙ（ｎ）を形成する。当該Ｎ個のターゲットＧｘｙ（ｎ）は、供給された強度ターゲットＩｘｙの振幅に等しいものの、独立同一分布（independent identically-distributed）（i.j.t.）の一様にランダムな位相を有する。ステップ２は、Ｎ個の対応する全複素フーリエ変換ホログラムｇｕｖ（ｎ）を計算する。ステップ３及び４はそれぞれ、これらのホログラムの実数部と虚数部を計算する。次に、これらのホログラムの実数部と虚数部それぞれの２値化が、ステップ５で実施される。ｍｕｖ（ｎ）のメジアン付近での閾値処理により、これらのホログラム内に等しい個数の−１の点と１の点が存在することが確実となり、（定義上）ＤＣ均衡が達成され、更には最小の再構成誤差も達成される。ある実施形態では、ｍｕｖ（ｎ）のメジアン値はゼロと仮定される。この仮定は、有効であることを示すことが可能であり、また、この仮定を行うことの効果は、知覚される画像品質に関して最小である。更なる詳細は、参照可能な本出願人の以前の出願（同書（ibid））に見ることができる。
【００３４】
図２は、図１のホログラフィ投影モジュール用の光学系の例を表す。
【００３５】
図２を参照するに、レーザダイオード１２は、ほぼコリメートされた光２２を、ピクセル処理された液晶変調器のような空間光変調器２４に提供する。ＳＬＭ２４は、光２２を位相変調し、位相変調光が、縮小光学系２６に提供される。図示した実施形態では、光学系２６は、一対のレンズ２８、３０を備え、レンズ２８、３０は、それぞれ焦点長ｆ３、ｆ４（ｆ３＜ｆ４）を有し、距離ｆ３＋ｆ４だけ離れている。光学系２６は、図示のように、表示画像を形成する光を発散させることにより、投影されるホログラフィ画像のサイズを増大させる。
【００３６】
更に図２を参照するに、より詳細には、レンズＬ１及びＬ２（それぞれ焦点長ｆ１及びｆ２を有する）は、ビーム拡張対又はケプラー型望遠鏡を形成する。これは、好ましくは、ビームが（再生フィールドが著しくローパスフィルタリングされないよう、エッジ効果を除いて）ほぼ変調器の全表面をカバーするよう、光源からのビームを拡張する。
【００３７】
レンズ対Ｌ３及びＬ４（それぞれ焦点長ｆ３及びｆ４を有する）は、ビーム拡張対を形成する。これは、変調器のピクセルサイズを効果的に減少させ、これにより、回折角が増大する。その結果、画像サイズが増大する。画像サイズ（再生フィールドのサイズ）の増大量は、システムの縮小率によって決まり、（それぞれレンズＬ３及びＬ４の焦点長である）ｆ３とｆ４の比によって設定される。
【００３８】
場合によっては、レンズＬ３及び／又はＬ４について可変焦点長を使用し、焦点長を調整して縮小率を調整することにより、可変縮小率を提供してもよい。焦点長の調整では、例えば、ｆ３を減少させる（且つ、Ｌ３とＬ４の焦点が更に一致するよう、Ｌ４を移動させる及び／又はｆ４を増加させる）。
【００３９】
このようなレンズの２つの例が、Varioptic［M. Meister and R. J. Winfield, "Local improvement of the signal-to-noise ratio for diffractive optical elements designed by unidirectional optimization methods," Applied Optics, vol. 41, 2002］及びPhilips［M. P. Chang and O. K. Ersoy, "Iterative interlacing error diffusion for synthesis of computer-generated holograms," Applied Optics, vol. 32, 1993］により製造される。これらは共に、絶縁薄膜内に覆われた金属基板上に水滴が堆積されるエレクトロウェッティング現象（electrowetting phenomenon）を利用する。基板に印加される電圧は、液滴の接触角を変化させ、これにより、焦点長が変化する。また、その他のあまり適さない液体レンズも提案されており、当該液体レンズにおいて、焦点長は、レバーアセンブリがレンズ・アパーチャ・サイズに及ぼす作用により制御される［R. Eschbach, "Comparison of error diffusion methods for computer-generated holograms," Applied Optics, vol. 30, 1991］。また、印加電界下における液晶材料の複屈折変化を利用した固体可変焦点長レンズも報告されている［R. Eschbach and Z. Fan, "Comlpex-valued error diffusion for off-axis computer-generated holograms," Applied Optics, vol. 32, 1993, A. A. Falou, M. Elbouz, and H. Hamam, "Segmented phase-only filter binarized with a new error diffusion approach," Journal of Optics A: Pure and Applied Optics, Vol. 7, 2005, O. B. Frank Fetthauer, "On the error diffusion algorithm: object dependence of the quantization noise," Optics Communications, vol. 120, 1995］。
【００４０】
カラーシステムでは、赤色、緑色、及び青色のレーザからの光ビームが、結合され、（時間多重化された）共通ＳＬＭにより変調されてもよい。カラーディスプレイを実装する技法については、２００６年６月２日に出願された英国特許出願ＧＢ０６１０７８４．１においてより詳細に説明されており、その全体もまた参照により組み込まれる。
【００４１】
我々はまた、よりコンパクトな光学系を提供するために、どのように上記レンズの１つ以上を表示ホログラム上にエンコードできるかについて、２００６年３月２８日に出願された英国特許出願ＧＢ０６０６１２３．８において説明しており、その全体もまた参照により組み込まれる。
【００４２】
引き続き図２を参照するに、デジタル信号プロセッサ１００は、コンシューマ電子デバイスからの画像データを受け取る入力１０２を有し、当該画像データは、表示対象の画像を規定する。ＤＳＰ１００は、上述のプロシージャを実施して、複数のホログラフィ・サブフレーム用の位相ホログラムデータを生成する。当該位相ホログラムデータは、ＤＳＰ１００の出力１０４からＳＬＭ２４に提供され、必要であればオプションでドライバ集積回路を介して提供される。ＤＳＰ１００は、ＳＬＭ２４を駆動して、複数の位相ホログラム・サブフレームを投影させる。当該複数の位相ホログラム・サブフレームは、表示画像１４の印象を与えるように結合する。１つの実施形態では、CRL Opto（Forth Dimension Displays Limited, of Scotland, UK）によって製造されたＳＸＧＡ（１２８０×１０２４）反射性２相変調空間光変調器（ＳＬＭ）上に、複数のホログラム（複数のホログラフィ・サブフレーム）が表示された。
【００４３】
ＤＳＰ１００は、上述のプロシージャを実施して、ＳＬＭ２４に出力するサブフレーム位相ホログラムデータを生成するための、専用ハードウェア、及び／又は、プロセッサ制御コードを記憶するフラッシュメモリ又はその他のリード・オンリ・メモリを備えていてもよい。
【００４４】
図３は、図１のモジュール１２のホログラフィ画像表示システム用のハードウェア・アクセラレータの実施形態のブロック図を表す。更なる詳細は、２００６年６月１３日に出願されたＰＣＴ／ＧＢ２００６／０５０１１５２に見ることができる。これにより、その全体が参照により組み込まれる。
【００４５】
図３を参照するに、システムへの入力は、好ましくは、コンピュータ（コンシューマデバイス又はその他のデバイスに組み込まれていてもよい）のようなソースからの画像データであるが、その他のデータソースを採用することも可能である。入力データは、１つ又は複数の入力バッファに一時的に格納され、それと共に、このプロセス用の複数の制御信号が、システム内の１つ又は複数のコントローラユニットから供給される。各入力バッファは、好ましくは、データが入力バッファ内に書き込まれると同時に入力バッファから読み出されるようなデュアル・ポート・メモリを備える。図１に示す入力バッファからの出力は、Ｉと表記された画像フレームであり、この画像フレームが、ハードウェアブロックへの入力となる。ハードウェアブロックは、図２を用いてより詳細に説明されているが、上述の画像フレームＩの各々について一連の処理を実施し、各画像フレームについて、１つ又は複数の出力バッファに送られる１つ又は複数のホログラフィ・サブフレームｈを生成する。各出力バッファは、好ましくは、デュアル・ポート・メモリを備える。このようなサブフレームは、上述の出力バッファから出力され、（オプションでドライバチップを介して）ＳＬＭのような表示デバイスに供給される。このプロセスを制御する複数の制御信号は、１つ又は複数のコントローラユニットから供給される。当該複数の制御信号は、好ましくは、１つ又は複数のホログラフィ・サブフレームが、生成され、ビデオフレーム期間毎にＳＬＭに送られる、ことを確実にする。ある実施形態では、コントローラから入力バッファと出力バッファの両方に送信される複数の制御信号は、read／write選択信号であり、一方、コントローラとハードウェアブロックとの間の複数の信号は、種々のタイミング情報、初期化情報、及びフロー制御情報を含む。
【００４６】
図４は、図３で説明したハードウェアブロックの実施形態を表す。該ハードウェアブロックは、該ブロックに供給される各画像フレーム用の１つ以上のホログラフィ・サブフレームを生成するよう設計されたハードウェア要素の組を備える。こうした実施形態では、好ましくは、１つの画像フレームＩｘｙが、ハードウェアブロックへの入力として、ビデオフレーム期間毎に１回又は複数回供給される。こうした画像フレームのソースは、図３に示すような１つ又は複数の入力バッファでもよい。その後、各画像フレームＩｘｙは、位相変調段階、空間−周波数変換段階、及び量子化段階の１つ以上を有する一組の処理により、１つ以上のホログラフィ・サブフレームを生成するのに使用される。複数の実施形態では、Ｎ個のサブフレームの一組（Ｎは１以上である）が、上述の処理のシーケンシャルな一組か、異なるサブフレームにパラレルに作用するような当該処理のいくつかの組か、これら２つの手法を混合したものか、のいずれかを使用することにより、フレーム期間毎に生成される。
【００４７】
図４の実施形態に示す位相変調ブロックの目的は、入力フレームのエネルギーを空間−周波数領域内で再分配し、その結果、最終的な画像品質の改善が後の処理の実施後に得られるようにすることである。
【００４８】
図５は、ランダム位相分配が使用される位相変調段階の前後において、サンプル画像のエネルギーがどのように分配されているかの例を表す。このような位相分配により画像を変調することには、空間−周波数領域全体にわたってエネルギーをより均等に再分配する効果があることが解る。
【００４９】
図４の実施形態に示す量子化ハードウェアは、先行する空間−周波数変換ブロックの出力として生成された複素ホログラムデータを取得し、当該複素ホログラムデータを、制限された一組の値にマッピングするという目的を有する。当該値は、ターゲットＳＬＭ上で実現可能な実際の位相変調レベルに対応する。ある実施形態では、量子化レベルの数は、２に設定される。このような方式の例は、各ピクセルにおいて０又はπの位相遅延（phase retardation）を生じさせるような位相変調器である。他の実施形態では、異なる位相遅延に対応した量子化レベルの数は、２以上でもよい。異なる位相遅延レベルがどのように分配されるかについては制約はなく、規則的な分配を使用しても、不規則な分配を使用しても、これら２つを混合したものを使用してもよい。好ましい実施形態では、量子化器は、ホログラフィ・サブフレーム・データの実数成分と虚数成分を量子化して、出力バッファ用のサブフレームの対を生成するよう構成される。当該サブフレームはそれぞれ、２つの位相遅延レベルを有する。離散的にピクセル処理されるフィールドについては、複素ホログラフィ・サブフレーム・データの実数成分と虚数成分に、相関がないことを示すことが可能である。これが、実数成分と虚数成分を独立に扱い、相関のない２つのホログラフィ・サブフレームを生成することが正当な理由である。
【００５０】
図６は、図３で説明したハードウェアブロックの実施形態を表す。該ハードウェアブロックでは、複素ホログラフィ・サブフレーム・データの実数成分からのホログラフィ・サブフレームと、該複素ホログラフィ・サブフレーム・データの虚数成分からのホログラフィ・サブフレームとの対を生成するために、量子化要素の対が、システム内において並列に配列されている。
【００５１】
図４に示す位相変調データを生成可能な方法には、多くの様々なものが存在する。ある実施形態では、擬似ランダム２相変調データが、フィードバックとＸＯＲ論理ゲートとを有するシフトレジスタ、を備えるハードウェアにより生成される。図７は、そのような実施形態を表し、当該実施形態は更に、到来する画像データに２相データを乗算するハードウェアを備える。このハードウェアは、到来するデータの２つのコピーを生成する（一方のコピーには−１が乗算される）手段を備え、２つのデータコピーの一方を選択するマルチプレクサがその後に続く。この実施形態のマルチプレクサへの制御信号は、上述のように、シフトレジスタ及び関連する回路部分により生成される擬似ランダム２相変調データである。
【００５２】
別の実施形態では、事前計算された位相変調データが、ルックアップテーブル内に記憶され、ルックアップテーブル用のアドレス値のシーケンスが、ルックアップテーブルから読み出される位相データがランダムになるよう生成される。この実施形態では、ランダム性を確保するための十分条件は、ルックアップテーブルのエントリ数Ｎが、アドレス値が各回に増加する値ｍよりも大きいこと、ｍがＮの整数因数（integer factor）でないこと、及び、アドレス値が、Ｎを超えた場合に、その範囲の始めに「ラップ・アラウンドする（wrap around）」こと、であることを示すことが可能である。好ましい実施形態では、Ｎは、追加の回路部分なしでアドレス・ラップ・アラウンドが得られるよう、２の累乗（例えば２５６）であり、ｍは、Ｎの因数とならないよう、奇数である。
【００５３】
図８は、そのような実施形態用の好適なハードウェアを表す。該ハードウェアは、フィードバックを有する３入力加算器を備え、該３入力加算器は、Ｎ個のデータワードの組を含むようなルックアップテーブル用のアドレス値のシーケンスを生成する。該Ｎ個のデータワードはそれぞれ、実数成分と虚数成分を有する。入力画像データＩｘｙは、２つの同じ信号が形成されるよう複製され、該２つの同じ信号には、ルックアップテーブルから選択された値の実数成分と虚数成分が乗算される。この処理により、位相変調入力画像データＧｘｙの実数成分と虚数成分がそれぞれ生成される。ある実施形態では、加算器への第３の入力（ｎで示される）は、その時のホログラフィ・サブフレームを表す値である。別の実施形態では、第３の入力ｎは省略される。更なる実施形態では、ｍ及びＮは共に、素数の集合（set）の別個の要素（member）となるよう選択される。これは、アドレス値のシーケンスが真にランダムとなることを保証する、強力な条件である。
【００５４】
図９は、到来する位相変調画像データＧｘｙ（図４に示す）の２−Ｄ  ＦＦＴを実行するハードウェアの実施形態を表す。この実施形態では、当該２−Ｄ  ＦＦＴ処理を実行するのに必要とされる当該ハードウェアが、１−Ｄ  ＦＦＴブロックと、行又は列の中間結果を格納するためのメモリ要素と、メモリの出力からマルチプレクサの一方の入力までのフィードバック経路（スケーリングファクタを含んでいてもよい）とを備える。このマルチプレクサの他方の入力は、位相変調入力画像データＧｘｙであり、マルチプレクサへの制御信号は、図４に示すコントローラブロックから供給される。このような実施形態により、２−Ｄ  ＦＦＴ処理を実行する面積効率のよい方法が提供される。
【００５５】
他の実施形態では、図４及び／又は図６に示す処理は、（例えば汎用デジタル信号プロセッサ上の）ソフトウェアにおいて、一部を又は全てを実行してもよい。
【００５６】
図１０は、ホログラフィ画像表示システム用のハードウェアの更なる例のブロック図を表す。当該システムは、２次元フーリエ変換（複数行及び複数列を変換することにより実現される）用のハードウェアと、フーリエ変換の実数出力及び虚数出力用の量子化段（０の周りで量子化することにより、又は、以前のフレームからのメジアン値を使用することにより、メジアン量子化器を近似する）と、位相ランダマイザ（ＸＯＲシフトレジスタから生成される擬似乱数を使用する）と、各デュアル・メモリ・フレーム・バッファがＮｔＲＡＭ（No Turnaround Random Access Memory）の対を備える（２つの）デュアル・メモリ・フレーム・バッファ（一方が書き込まれている間に、他方が読み出される）とを含む。
【００５７】
ＯＳＰＲタイプのアルゴリズムの一部の実施態様では、入力画像にエッジ付近においてゼロが割り当てられて、ホログラフィ変換の実行前に拡大画像面が生成され、その結果、例えば、変換画像がＳＬＭにフィットするようになる（より詳細には、２００６年６月２日に出願された同時係属中の英国特許出願第０６１０７８４．１号を参照されたい。これにより、その全体が参照により組み込まれる）。このような場合、（Ｉ）ＦＦＴを実行する際に、上記ゼロ（より厳密にはゼロにされたエリア）については、処理をスピードアップするために除外してもよい。
【００５８】
我々は、上述したプロシージャの例を、１ステップ位相リトリーバル（One Step Phase Retrieval：ＯＳＰＲ）と呼ぶ。しかし、本発明の実施形態は、ＯＳＰＲタイプのプロシージャにも有用である。該ＯＳＰＲタイプのプロシージャでは、厳密に言えば、一部の実施態様において、２以上のステップを採用することも考えられる。これらの例が、２００５年９月１６日に出願されたＧＢ０５１８９１２．１、及び２００６年１月２５日に出願されたＧＢ０６０１４８１．５に記載されており、これにより、それらの全体が共に参照により組み込まれる。上記２つの特許出願の内の１番目の出願では、与えられた画像品質に必要なサブフレーム数が低減可能になるよう、１つのサブフレーム内の「ノイズ」が、後続のサブフレームにおいて補償される。より詳細には、各サブフレームのノイズが、以前に表示された複数のサブフレームからの累積ノイズを補償するよう、フィードバックが使用される。２番目の出願では、サブフレームを表示する解像度よりも高い解像度でホログラフィ・サブフレーム・データを計算することにより、位相誘発誤差を、画像のピクセル用のターゲット位相データを調整することで補償することが可能になり、これにより、導入される誤差を補償することが可能になる。好ましくは、これは、空間スペクトルがほぼ平坦であるという所望の要件が満たされるように実行される。
【００５９】
再び図２を参照するに、複数の実施形態では、変調前のビーム拡張用及び変調光の縮小用に、反転光学機構（reverse optical arrangement）を使用することが可能である。このように、レンズ対Ｌ１及びＬ２と、レンズ対Ｌ３及びＬ４は、共通の光学系の少なくとも一部を構成してもよい。当該共通の光学系は、ＳＬＭ上に入射する光と、ＳＬＭから反射する光とについて、（反射性ＳＬＭに対し）反対（reverse）向きに使用される。
【００６０】
図１１ａは、そのようなレンズ共有機構を表す。当該機構には、異なる方向に進む光、即ち、ＳＬＭに入る光とＳＬＭから出る光との間の干渉を抑制する偏光子が含まれる。図１１ｂは、そのようなシステムの好ましい実用的構成を表す。当該構成では、レーザダイオード（ＬＤ）は、再生フィールドの中心部分を不明瞭にしない。図１１ｂの機構では、偏光ビームスプリッタが、出力された変調光を９０度方向の画像面上に誘導し、且つ、図１１ａの偏光子の機能を提供するのに使用される。
【００６１】
上述のホログラフィ投影モジュールの用途は、モバイルフォン、ＰＤＡ、ラップトップ、デジタルカメラ、デジタルビデオカメラ、ゲームコンソール、自動車内シネマ（in-car cinema）、パーソナル・ナビゲーション・システム（自動車内又は腕時計ＧＰＳ）、自動車用又は航空機用のヘッドアップディスプレイ／ヘルメット搭載式ディスプレイ、腕時計、パーソナルメディアプレーヤ（例えば、ＭＰ３プレーヤ、パーソナルビデオプレーヤ）、ダッシュボード搭載式ディスプレイ、レーザ光ショーボックス、パーソナルビデオ投影器（「ビデオｉＰｏｄ（登録商標）」）、広告システム及びサイネージシステム、コンピュータ（デスクトップを含む）、及びリモートコントロールユニットを含むが、これらに限定されることはない。上述の投影モジュールは、建築装備品（architectural fixture）に組み込まれていてもよい。一般に、上述のホログラフィ投影モジュールの実施形態は、映像を共有することや２人以上の人間が一度に画像を観ることが望まれるデバイスにおいて、特に有用である。
【００６２】
おそらく、当業者は、多くの他の有効な代替形態を思い付くであろう。本発明は、説明された実施形態には限定されず、添付の特許請求の範囲の趣旨及び領域内にある、当業者に明らかな変形形態を包含することが理解されよう。
【図面の簡単な説明】
【００６３】
【図１】ホログラフィ投影モジュールを含むコンシューマ電子デバイスの例を表す。
【図２】図１のホログラフィ投影モジュール用の光学系の例を表す。
【図３】図１及び図２のホログラフィ画像表示システム用のハードウェア・アクセラレータの実施形態のブロック図を表す。
【図４】図３に示すハードウェアブロックの実施形態内で実行される処理を表す。
【図５】ランダム位相行列による乗算前及び乗算後におけるサンプル画像のエネルギースペクトルを表す。
【図６】複素ホログラフィ・サブフレーム・データの実数成分及び虚数成分からそれぞれ２つのサブフレームを同時に生成する並列量子化器、を有するハードウェアブロックの実施形態を表す。
【図７】擬似ランダム２相データを生成し、且つ、到来する画像データＩｘｙに位相値を乗算して、Ｇｘｙを生成するハードウェアの実施形態を表す。
【図８】到来する画像フレームデータＩｘｙに、ルックアップテーブルからランダムに選択された複素位相値を乗算して、位相変調画像データＧｘｙを生成するハードウェアの実施形態を表す。
【図９】フィードバックを有する１−Ｄ  ＦＦＴブロックにより、到来する位相変調画像データＧｘｙに対する２−Ｄ  ＦＦＴを行い、ホログラフィデータｇｕｖを生成するハードウェアの実施形態を表す。
【図１０】ホログラフィ画像表示システム用のハードウェアの更なる例のブロック図を表す。
【図１１ａ】図１のホログラフィ投影モジュール用の光学系の更なる例を表し、レンズ共有機構を表す。
【図１１ｂ】図１のホログラフィ投影モジュール用の光学系の更なる例を表し、レンズ共有機構を表す。
【図１】
2008544307.tif 000004
【図２】
2008544307.tif 000005
【図３】
2008544307.tif 000006
【図４】
2008544307.tif 000007
【図５】
2008544307.tif 000008
【図６】
2008544307.tif 000009
【図７】
2008544307.tif 000010
【図８】
2008544307.tif 000011
【図９】
2008544307.tif 000012
【図１０】
2008544307.tif 000013
【図１１ａ】
2008544307.tif 000014
【図１１ｂ】
2008544307.tif 000015
【国際調査報告】
2008544307.tif 000016
2008544307.tif 000017
2008544307.tif 000018